(57)【要約】【課題】支柱と梁材とを接続する接続部材が外方から見えにくく、かつ効率よく組み立てることができる構造物における支柱と梁材との接続構造を提供する。【解決手段】立設された支柱１の側壁１１上端部に梁材２の端面が対向されて接続された構造物における支柱１と梁材２との接続構造であって、前記梁材２の端部にはその端面より突出して下向きの引掛部３１が形成されたフック３が設けられるとともに、前記支柱１は少なくとも上端面の一部が開口されて、前記フック３の引掛部３１が上方より差し込み可能な差込部１４が形成され、前記フック３の引掛部３１を支柱１の前記差込部１４に差し込んで、該フック３を支柱１の側壁１１上端部に引掛けることにより、前記梁材２が支柱１に接続可能となるようにする。【選択図】        図１
2015187363.tif 000002
【特許請求の範囲】
【請求項１】
立設された支柱の側壁上端部に梁材の端面が対向されて接続された構造物における支柱と梁材との接続構造であって、前記梁材の端部にはその端面より突出して下向きの引掛部が形成されたフックが設けられるとともに、前記支柱は少なくとも上端面の一部が開口されて、前記フックの引掛部が上方より差し込み可能な差込部が形成され、前記フックの引掛部を支柱の前記差込部に差し込んで、該フックを支柱の側壁上端部に引掛けることにより、前記梁材が支柱に接続可能となされていることを特徴とする構造物における支柱と梁材との接続構造。
【請求項２】
前記フックは、支柱の側壁を間にして、支柱の内部の差込部に差し込まれる引掛部と、支柱の外側に配置される基部とを備えるとともに、前記引掛部と基部の両上端部を連結して支柱の側壁上に載置可能な連結部を備え、かつ、前記連結部を上下に貫通して、前記引掛部と支柱の側壁内面との間に押し込まれた固定具により、支柱に固定可能となされていることを特徴とする請求項１に記載の構造物における支柱と梁材との接続構造。
【請求項３】
前記固定具は、ねじ部が前記引掛部と支柱の側壁内面との間にねじ山を形成しつつねじ込まれるタッピングビスであることを特徴とする請求項２に記載の構造物における支柱と梁材との接続構造。
【発明の詳細な説明】
【技術分野】
【０００１】
本発明は、テラスやサンルームなどの構造物における支柱と梁材との接続構造に関するものである。
【背景技術】
【０００２】
従来、構造物における支柱と梁材との接続構造としては、軽量形鋼からなる一対の柱材とその柱材間に渡した軽量形鋼の斜材とによって構成された一体の組立柱上端と普通形鋼の梁との接合構造であって、前記梁の下面に水平片と垂直片からなるＬ形の一対の接合金具が、その垂直片が下向きとなり、かつ、水平片と垂直片とがなす角部の稜線が前記梁を横断する方向となるようにして、その水平片部で溶接されており、前記各柱材上端が前記各垂直片へその柱材上端面と梁下面との間に間隙を生ずるようにして溶接されてこれら柱材と梁との接合部をピン接合としている柱と梁の接合構造が開示されている（特許文献１）。
【先行技術文献】
【特許文献】
【０００３】
【特許文献１】実開昭６３−１４８７０２号公報
【発明の概要】
【発明が解決しようとする課題】
【０００４】
しかしながら、特許文献１に記載のような柱と梁の接合構造では、柱と梁とを接続しているＬ形の接続金具が外方に露出しているため、外観が良いとは言えず、外観面での改良が望まれているものであった。
【０００５】
本発明は上記の如き課題に鑑みてなされたものであり、支柱と梁材とを接続する接続部材が外方から見えにくく、かつ効率よく組み立てることができる構造物における支柱と梁材との接続構造を提供せんとするものである。
【課題を解決するための手段】
【０００６】
上記目的を達成するために、本発明は次のような構成としている。
すなわち、本発明に係る構造物における支柱と梁材との接続構造は、立設された支柱の側壁上端部に梁材の端面が対向されて接続された構造物における支柱と梁材との接続構造であって、前記梁材の端部にはその端面より突出して下向きの引掛部が形成されたフックが設けられるとともに、前記支柱は少なくとも上端面の一部が開口されて、前記フックの引掛部が上方より差し込み可能な差込部が形成され、前記フックの引掛部を支柱の前記差込部に差し込んで、該フックを支柱の側壁上端部に引掛けることにより、前記梁材が支柱に接続可能となされていることを特徴とするものである。
【０００７】
また本発明に係る構造物における支柱と梁材との接続構造において、前記フックは、支柱の側壁を間にして、支柱の内部の差込部に差し込まれる引掛部と、支柱の外側に配置される基部とを備えるとともに、前記引掛部と基部の両上端部を連結して支柱の側壁上に載置可能な連結部を備え、かつ、前記連結部を上下に貫通して、前記引掛部と支柱の側壁内面との間に押し込まれた固定具により、支柱に固定可能としてもよい。
【０００８】
また本発明に係る構造物における支柱と梁材との接続構造において、前記固定具は、ねじ部が前記引掛部と支柱の側壁内面との間にねじ山を形成しつつねじ込まれるタッピングビスにしてもよい。
【発明の効果】
【０００９】
本発明に係る構造物における支柱と梁材との接続構造よれば、前記梁材の端部にはその端面より突出して下向きの引掛部が形成されたフックを設けるとともに、前記支柱は少なくとも上端面の一部が開口されて、前記フックの引掛部を上方より差し込み可能な差込部を形成し、前記フックの引掛部を支柱の前記差込部に差し込んで、該フックを支柱の側壁上端部に引掛けることにより、前記梁材を支柱に接続可能としているため、梁材の端部から下向きに突出されているフックの引掛部は支柱の差込部に差し込まれ、外方からは殆ど見えなくなされているので、良好な外観を備えた支柱と梁材との接続構造とすることができる。更には、前記フックを支柱の側壁上端部に引掛け支柱に梁材を一旦仮置きした上で、支柱と梁材とを固定する作業を行うことができ、支柱と梁材とを効率的に接続・固定することができる。
【００１０】
また本発明に係る構造物における支柱と梁材との接続構造よれば、前記フックは、支柱の側壁を間にして、支柱の内部の差込部に差し込まれる引掛部と、支柱の外側に配置される基部とを備えるとともに、前記引掛部と基部の両上端部を連結して支柱の側壁上に載置可能な連結部を備え、かつ、前記連結部を上下に貫通して、前記引掛部と支柱の側壁内面との間に押し込まれた固定具により、支柱に固定可能としているため、固定具を、支柱の側壁上に載置された連結部を上下に貫通して、前記引掛部と支柱の側壁内面との間に押し込みさえすれば、支柱と梁材とを固定することができ、支柱と梁材とを効率的に固定することができる。
【００１１】
また本発明に係る構造物における支柱と梁材との接続構造よれば、前記固定具は、ねじ部が前記引掛部と支柱の側壁内面との間にねじ山を形成しつつねじ込まれるタッピングビスとしているため、前記引掛部と支柱の側壁内面との間に、事前にねじ山を加工しておく必要がなく、引掛部と支柱の側壁内面との間に螺入することで固定具を効率よく押し込むことができ、支柱と梁材とを固定することができる。
【図面の簡単な説明】
【００１２】
【図１】本発明に係る構造物における支柱と梁材との接続構造の、実施の一形態を示す斜視図である。
【図２】図１のＡ−Ａ断面図である。
【図３】図１の一部分解の説明図である。
【図４】図１に示す実施形態で用いられているフックの斜視図である。
【発明を実施するための形態】
【００１３】
本発明に係る最良の実施の形態について、図面に基づき以下に具体的に説明する。
１は設置面に立設された支柱、２は前記支柱１の側壁１１上端部にその端面が対向されて接続された梁材、３は前記梁材２の端面より突出されたフック、４は該フック３を介して支柱１と梁材２とを固定する際に用いられる固定具であり、本発明にかかる構造物における支柱と梁材との接続構造を備えたものとしては、例えば家の軒先などに設置されるテラスや庭に設置されるカーポートなどである。
【００１４】
前記支柱１は横断面がほぼ正方形の管体で４個の側壁１１を備えて中空状に形成されており、正方形の四隅にはそれぞれ上下方向にねじ孔が形成され、支柱１の上端は、支柱１の横断面と同じ外形の正方形の水平板状体からなる上蓋１３がその四隅を前記ねじ孔にねじ１２が螺着されて固定されている。そして、前記上蓋１３は後述する前記フック３の引掛部３１を上方より差し込み可能な差込部１４の部分が切り欠かれることにより、前記支柱１の上端面はその一部が開口されている。そして、この前記差込部１４に差し込まれる後述するフック３の連結部３３と固定具４とを隠蔽するため、前記上蓋１３の上から上蓋カバー１３´が取付けられ、連結部３３と固定具４とが外側から隠蔽され、外観が向上するようになされている。
【００１５】
なお、本実施形態においては、支柱１に９０度の角度で２本の梁材２が接続されているため、前記上蓋１３は隣り合う２辺が切り欠かれ、２箇所の差込部１４が形成されているが、これに限定されるものではなく、前記上蓋１３の３辺が切り欠かれ３本の梁材２が支柱１に接続されていてもよいし、前記上蓋１３の１辺のみが切り欠かれ１本の梁材２が支柱１に接続されていてもよいし、全ての辺が切り欠かれ４本の梁材２が支柱１に接続されていてもよい。
【００１６】
前記梁材２は支柱１と同様、縦断面がほぼ正方形の管体で４個の側壁２１を備えて中空状になされており、その端部は開口されている。そして、前記梁材２の開口している端部には、その端面より突出して下向きに縦壁状の引掛部３１が形成されたフック３が設けられている。そして、前記フック３の引掛部３１を支柱１の前記差込部１４に差し込んで、該フック３を支柱１の側壁１１上端部に引掛けることにより、前記梁材２は支柱１に接続されている。
【００１７】
前記フック３は、支柱１の側壁１１を間にして、支柱１の内部の差込部１４に差し込まれる縦壁状の前記引掛部３１と、支柱１の外側に配置される縦壁状の基部３２とを備えるとともに、前記引掛部３１と基部３２の両上端部を連結して支柱１の側壁１１上に載置可能な水平板状の連結部３３を備えている。そして該連結部３３は、前記引掛部３１と反対側に延設されて、水平板状の梁材取付部３４が設けられ、その上面に梁材２の上側の側壁２１の内面が載置され、梁材２の上側の側壁２１端部に穿設されている貫通孔２２と梁材取付部３４に穿設されている透孔３４１にボルトＢを貫通させてナットＮが螺入され、フック３と梁材２とが固定されている。なお、前記梁材２の開口している端部に取付けられているフック３と、梁材の側壁２１との間には隙間が生じるため、それを隠蔽するためのカバー材２３が前記梁材の端縁に取付けられている。
【００１８】
更に詳細に述べると、前記梁材取付部３４の下方には、前記梁材取付部３４が底板となされた蟻溝部３５が形成されており、該蟻溝部３５に平板材３６が挿入されている。また該平板材３６には、前記梁材取付部３４に穿設されている透孔３４１に対応した位置に通孔３６１が設けられるとともに、その先端が長方形状に切り欠かれた切欠部３６２が設けられ、前記梁材取付部３４の先端側に位置する蟻溝部３５を構成する縦壁部３５１に設けられた貫通孔３５２から螺入されたねじＪの先端部Ｊ１が前記切欠部３６２に嵌め込まれて、前記平板材３６が蟻溝部３５から抜け出ないようになされている。そして、フランジ付ナットＮのナット部Ｎ１が前記平板材３６の通孔３６１に挿入されるとともに、そのフランジ部Ｎ２が前記平板材３６の上面と梁材取付部３４と下面とに挟まれて、ナットＮがフック３から脱落しないようになされている。
【００１９】
なお上述のように本実施形態においては、ナットＮを別体でフック３に保持する様にしているが、前記梁材取付部３４の透孔内周面に雌ねじを設けて、その雌ねじにボルトを螺入し、フック３と梁材２とを固定するようにしてもよい。また、本実施形態においては、基部３２の下端から梁材取付部３４と平行に水平板部３７が突設され、前記梁材２の下側の側壁２１に沿うようになされているのみであるが、該水平板部３７と梁材２の下側の側壁２１とに透孔を穿設し、ボルトを貫通させてナットを螺入して、フック３と梁材２とを固定するようにしてもよい。
【００２０】
前記フック３は、支柱１の側壁１１を間にして、引掛部３１が支柱１の内部の差込部３１に差し込まれ、基部３２が支柱１の外側に配置され、連結部３３が支柱１の側壁１１上に載置され、かつ、前記連結部３３を上下に貫通して、前記引掛部３１と支柱１の側壁１１内面との間に押し込まれた固定具４により、支柱１に固定可能となされている。
【００２１】
更に詳細に述べると、前記固定具４はタッピングビスであり、そのねじ部が前記連結部３３に上下に貫通して設けられている貫通孔３３１に螺入され、前記引掛部３１と該引掛部３１と対向する支柱１の側壁１１内面との間にねじ山を形成しつつねじ込まれることにより、前記引掛部３１と基部３２とが垂直に起立され、フック３の基部３２と支柱１の外側の側壁１１とが当接されて、支柱１とフック３とが固定されている。また前記連結部３３の上面には、２個の立上部３８が前記貫通孔３３１を挟む様に設けられ、前記タッピングビスを螺入する際のガイドとなされて、タッピングビスをねじ込む作業を効率よく実施することができるようになされている。
【００２２】
なお本実施形態において、前記支柱１と梁材２とは、管状で同一断面が連続して長尺に形成されたアルミニウム合金製の芯材部１１１の外面に、合成樹脂を用いて被覆樹脂層１１２が押出成形により設けられて形成されたものであり、用いられる合成樹脂としては、例えばポリエチレン、ポリプロピレン、ＡＢＳ樹脂、ＡＡＳ樹脂、ポリ塩化ビニル樹脂等であり、前記合成樹脂に、シリカ粉末、マイカ粉末、タルク、ガラスファイバー、炭酸カルシウム、水酸化アルミニウム、水酸化カルシウム、クレー、鉱物、マイクロバルーン、金属粉、木粉、パルプ等のセルロース粉末等の充填材を適宜配合してもよい。また、被覆樹脂層１１２，２１２が外面に被覆されていない単体の金属材や、木材等が、支柱１や梁材２に用いられてもよい。
【符号の説明】
【００２３】
１      支柱
１１    側壁
１１１  芯材部
１１２  被覆樹脂層
１２    ねじ
１３    上蓋
１３´  上蓋カバー
１４    差込部
２      梁材
２１    側壁
２１１  芯材部
２１２  被覆樹脂層
２２    貫通孔
２３    カバー材
３      フック
３１    引掛部
３２    基部
３３    連結部
３３１  貫通孔
３４    梁材取付部
３４１  透孔
３５    蟻溝部
３５１  縦壁部
３５２  貫通孔
３６    平板材
３６１  通孔
３７    水平板部
３８    立上部
４      固定具
Ｂ      ボルト
Ｎ      ナット
Ｎ１    ナット部
Ｎ２    フランジ部
Ｊ      ねじ
【図１】
2015187363.tif 000003
【図２】
2015187363.tif 000004
【図３】
2015187363.tif 000005
【図４】
2015187363.tif 000006